【事件の表示】
　特許第３３４４８８６号「異方導電フィルム」の請求項１、２に係る特許に対する特許異議の申立てについて、次のとおり決定する。
【結　論】
　特許第３３４４８８６号の請求項１、２に係る特許を維持する。
【理　由】
理　由
１．手続の経緯
　本件特許第３３４４８８６号の請求項１、２に係る発明についての出願は、平成７年１２月２０日に特許出願され、平成１４年８月３０日にその特許権の設定登録がなされたところ、その後、金田政毅から特許異議の申立てがなされたものである。
　
２．本件発明
　本件の請求項１、２に係る発明（以下、「本件発明１、２」という。）は、特許明細書の記載からみて、その特許請求の範囲の請求項１、２に記載された事項により特定される次のとおりのものである。
「【請求項１】Ｓｉ原子を含まない反応性エラストマー（Ａ）、アクリレートモノマー（Ｂ）、シランカップリング剤（Ｃ）、有機過酸化物（Ｄ）、これらを溶解する溶剤（Ｅ）および導電粒子（Ｆ）を必須成分とし、該アクリレートモノマー（Ｂ）と有機過酸化物（Ｄ）の重量配合割合が（Ｂ）／（Ｄ）＝１００／０．１〜１０であるペースト状混合物を離形フィルム上に流延し溶剤を揮散させ製膜されてなることを特徴とする異方導電フィルム。
　【請求項２】アクリレートモノマーが、一分子中にアクリル基を２個
以上含む請求項１記載の異方導電フィルム。」
　
３．異議申立人の主張
　異議申立人は、下記の甲第１、２号証を提示して、本件発明１、２は、甲第１、２号証に記載された発明に基づいて当業者が容易に発明をすることができたものであるので、特許法第２９条第２項の規定により特許を受けることができないものであるから、これらの発明の特許は取り消されるべきものである旨主張している。
　
４．甲号各証及びその記載内容
　甲第１号証：特開昭６３−８６５３９号公報
　甲第２号証：特開平６−２９５６１７号公報
　
（ア）甲第１号証には、「半導体素子の少なくとも端面近傍と電極部を含んだ部分に導電性粒子が絶縁性接着剤中に分散されてなる導電異方性接着体を形成し、半導体素子端面近傍に形成される導電異方性接着体をエネルギー線により選択的に硬化した後、リード端子を上記半導体素子に圧着固定することを特徴とする半導体素子の接続方法。」（特許請求の範囲）、
　「本発明は、導電異方性接着体を用いて半導体素子の電極部にリード端子を接続するにあたり、・・・不用意な短絡のない接着を可能とし信頼性及び歩留まりの高い半導体素子の接続方法を提供しようとするものである。」（第１頁右下欄１〜８行）、
　導電異方性接着体に関し、「ここで導電異方性接着体とは、厚み方向には導通可能で面内方向には絶縁性を有する接着体で、導電性粒子を絶縁性の接着剤中に分散したものである。上記導電異方性接着体に分散される導電性粒子は、半田粒子、Ｃｕ、Ｎｉ等の金属粒子の他、表面に金属層をコーティングした無機材料もしくは有機材料からなる粒子が使用可能である。また接着剤としては、光又は放射線等のエネルギー線、好ましくは電子線で硬化するタイプの材料を使用する。」（第２頁右下欄第８〜１８行）
　導電異方性接着体の具体例として、「先ず、接続に使用される導電異方性接着体を用意した。本実施例では、該導電異方性接着体の接着剤成分を下記の通りとした。
接着剤成分の組成
アクリルゴム　・・・２０重量部
（帝国化学社製、商品名テイサンゴム♯５００２）
エポキシアクリレート　・・・５０重量部
（昭和高分子社製、商品名リポキシＶＲ−９０）
オリゴエステルモノマー　・・・２０重量部
（東亞合成社製、商品名アロニックス５７００）
トリメチロールプロパントリアクリレート
（日本化薬社製）        ・・・６．５重量部
光重合開始剤　・・・２重量部
（日本チバガイギー社製、商品名イルガキュアー６５１）
ベンゾイルパーオキサイド　・・・１重量部
ランカップリング剤　・・・０．５重量部
（信越化学社製、商品名ＫＢＭ５０３）
メチルエチルケトン　・・・１００重量部
トルエン　・・・１００重量部
　上記組成の導電異方性接着剤の固形分１００重量部に対して、平均粒径３μｍのＮｉ粒子を２０重量部を配合して均一に分散させた。その後、乾燥後の厚さが１０μｍとなるように剥離フィルム上に塗布して導電異方性接着体を得た。得られる導電異方性接着体（１）は、第１図に示すように、絶縁性接着剤（１ａ）中に導電性粒子（１ｂ）であるＮｉ粒子が均一に分散されたものである。」（第３頁左上欄第１８行〜同頁左下欄第４行）、
　作用効果に関し、「さらに導電異方性接着体を介した接続にあっては、低温での圧着接続のみで行えるため、半導体に熱的なダメージをあたえる心配もない。したがって、本発明方法は、接続の信頼性、歩留まり等の点で極めて有利である。」（第４頁右上欄第１１〜１５行）、
　と記載されている。
　
（イ）甲第２号証には、「【請求項１】　電気部品と回路基板との接続又は回路基板相互間を電気的に接続するための接着剤組成物であって、前記接着剤組成物は接着性マトリックス樹脂とラジカル開始剤と導電性物質及びカップリング剤とを少なくとも含み、前記マトリックス樹脂はラジカル重合性多重結合を有するエポキシ樹脂を含むことを特徴とする異方導電性接着剤組成物。・・・【請求項４】　カップリング剤が、エポキシ系シランカップリング剤である請求項１記載の異方導電性接着剤組成物。
　【請求項５】　接着剤組成物中に、カルボキシル基含有アクリルニトリルゴムまたはアクリル樹脂を含む請求項１記載の異方導電性接着剤組成物。
　【請求項６】　ラジカル開始剤が過酸化化合物である請求項１記載の異方導電性接着剤組成物。」（特許請求の範囲の請求項１〜６）、　
　発明が解決しようとする課題として、「従来の接着剤は、エポキシ樹脂を硬化させるのにアミン系、酸無水物、フェノール系の硬化剤を使用していたが硬化に時間がかかることに問題があり、その結果、導電性粒子と回路部との接触が悪くなり、導通信頼性が低い・・・また、前記エポキシ樹脂硬化剤を高い混率でエポキシ樹脂に混入した場合、硬化の時間が短くなり、導電性粒子と回路部との接触が安定することから導通信頼性は安定するが、製品寿命が短くなるという問題があった。」（段落番号【０００４】〜【０００５】）、
　「ラジカル開始剤としては、ジキュミルパーオキサイド、過酸化ベンゾイルなどの過酸化化合物が好ましいが、そのほか、アゾビスイソブチロニトニル等のアゾ系化合物、過硫酸塩−第１鉄塩などのレドックス系化合物など公知のいかなる開始剤も使用できる。」（段落番号【００２２】）、
　「ペーストは通常希釈剤で希釈されており、希釈剤としては、ケトン類、アルコール類、セロソルブ類、ジオキサン、トルエン等の芳香族炭化水素および酢酸エチルなどの有機溶剤が挙げられる。接着フィルムとして使用する場合は、上記ペーストを製膜し、溶剤を除去してフィルムとしたり、」（段落番号【００３３】）、
　「接着剤組成物中にカルボキシル基含有アクリルニトリルゴムまたはアクリル樹脂を固形分重量で０．１〜２０重量％加えるのが、導電粒子の分散性を向上するため、及びフィルム形成性向上のために好ましい。」（段落番号段落番号【００３４】）、
　「【作用】前記本発明の第１番目の発明の構成によれば、マトリックス樹脂はラジカル重合性多重結合を有するエポキシ樹脂を含み、かつラシカル開始剤を使用することにより、通常のエポキシ基の開環重合に加えラジカル重合による結合が発生する。これにより導通信頼性能を向上させ、かつリペア性を有し、製品寿命を長時間維持できる高信頼性の回路接続が可能な異方導電性接着剤組成物を実現できる。」（段落番号【００１３】）、
　と記載されている。
　
５．当審の判断
（１）本件発明１について
　甲第１号証には、前記した記載内容からみて、半導体素子の電極部にリード端子を接続するにあたり、不用意な短絡のない接着を可能とする接続方法に用いる、導電性粒子が絶縁性接着剤中に分散されてなる、エネルギー線により選択的に硬化し得る導電異方性接着体が記載されている。そこで、本件発明１の異方導電フィルムと甲第１号証の導電異方性接着体の具体例とを対比すると、甲第１号証のエポキシアクリレート、トリメチロールプロパントリアクリレート；ベンゾイルパーオキサイド；メチルエチルケトン及びトルエン；Ｎｉ粒子は、それぞれ本件発明１のアクリレートモノマー（Ｂ）；有機過酸化物（Ｄ）；これらを溶解する溶剤（Ｅ）；導電粒子（Ｆ）に、対応しており、甲第１号証の「ランカップリング剤」は「シランカップリング剤」（Ｃ）の誤記であると解され、さらにアクリレートモノマー（Ｂ）と有機過酸化物（Ｄ）の重量配合割合も本件発明１の数値範囲にある（特許異議申立書の第１１頁１〜１１、第１３頁１５〜１８行参照）。また導電異方性接着体は乾燥後の厚さが１０μｍとなるように剥離フィルム上に塗布しているので、導電異方性接着体としてフィルム体であるものが記載されているといえる。
　してみると、甲第１号証に記載の導電異方性接着体は本件発明１の（Ｂ）、（Ｃ）、（Ｄ）、（Ｅ）、（Ｆ）を成分とし含む、（Ｂ）と（Ｄ）の重量配合割合が本件発明１の特定の数値範囲であるペースト状混合物を離形フィルム上に流延し溶剤を揮散させ製膜されてなる異方導電フィルムである点で一致しているが、本件発明１において「Ｓｉ原子を含まない反応性エラストマー（Ａ）」を必須成分とするのに対して、甲第１号証においては反応性エラストマーに相当しないアクリルゴムが用いられている点で相違している。
　また、甲第２号証には、前記した記載内容からみて、ラジカル重合性多重結合を有するエポキシ樹脂を含む接着性マトリックス樹脂とラジカル開始剤と導電性物質及びカップリング剤とを少なくとも含む、異方導電性接着剤組成物が記載され、カップリング剤がエポキシ系シランカップリング剤であること、ラジカル開始剤がジキュミルパーオキサイド、過酸化ベンゾイルなどの過酸化化合物であること、接着剤組成物中にカルボキシル基含有アクリルニトリルゴムを加えることができること、さらに、ペーストは通常トルエン等の有機溶剤で希釈され、接着フィルムとして使用する場合は、上記ペーストを製膜し、溶剤を除去してフィルムとすることが記載されている。
　ここで、甲第２号証に記載のカルボキシル基含有アクリルニトリルゴムについてみると、本件発明１のＳｉ原子を含まない反応性エラストマー（Ａ）成分に相当するものであるが、この成分については導電粒子の分散性を向上するため、及びフィルム形成性向上のために好ましいとの記載があるだけであり、甲第２号証の異方導電性接着剤組成物はその接着性マトリック樹脂としてエポキシ樹脂を用いた場合の問題点を改善するために、ラジカル重合性多重結合を有するエポキシ樹脂を用いるものであるから、カルボキシル基含有アクリルニトリルゴムはこのエポキシ樹脂系の異方導電性接着剤に配合する結び付きにおいて、上記作用効果が奏されるにすぎないものである。
　してみると、甲第１号証のようなエポキシ樹脂を使用していない甲第２号証に記載の異方導電性接着剤組成物と技術課題の異なる、アクリレートモノマーを用いる異方導電性接着剤に反応性エラストマーとしてカルボキシル基含有アクリルニトリルゴムを配合する動機付けとなる根拠はなんら見当たらない。
  そうすると、甲第１号証にアクリレートモノマー（Ｂ）を含む異方導電フィルム及び甲第２号証にＳｉ原子を含まない反応性エラストマー（Ａ）を含む異方導電フィルムが記載されてはいるけれども、従来のエポキシ樹脂／アミン化合物による熱硬化型の問題点を改善して、低温・短時間での接続、常温での貯蔵安定性に優れ、広範囲の温度域（−４０℃〜１００℃）において優れた接着性を有し、剥離、再圧着可能である熱ラジカル硬化型異導電フィルムを得る（本件特許明細書段落番号【０００３】、【００１９】の記載参照）本件発明１の目的で、Ｓｉ原子を含まない反応性エラストマー（Ａ）とアクリレートモノマー（Ｂ）とを組み合わせることについては記載もないし示唆もない甲第１、２号証の記載から本件発明１の上記構成を導き出すことは当業者といえども容易に想到し得るものではない。
　したがって、本件発明１は甲第１及び２号証に記載された発明に基づいて当業者が容易に発明をすることができるものとはいえない。
　
（２）本件発明２について
　本件発明２は本件発明１の構成を更に限定したものであるから、同様な理由により刊行物１、２に記載された発明に基づいて当業者が容易に発明をすることができるものとはいえない。
　
６．むすび
　以上のとおりであるから、特許異議の申立て及び証拠によっては、本件発明１、２に係る特許を取り消すことができない。
また、他に本件発明１、２に係る特許を取り消すべき理由を発見しない。
　よって結論のとおり決定する。
【異議決定日】
平成１５年８月１５日（２００３．８．１５）